(57)【要約】【課題】磁気記録再生装置に使用される磁気テープの始端及び終端を検出するテープ位置検出機構において、発光部５から発光される光を受光する第１と第２の受光部６，７の位置規制と保持をする手段において、最少のスペースで、かつ最少の部品点数で構成可能なテープ位置検出機構を備える磁気記録再生装置を提供することを目的とする。【解決手段】テープ位置検出機構を構成する第１と第２の受光部６，７をシャーシの側面に設けた開口部４ａに直接保持することにより、保持をするための部品や取付けのためのネジ等を必用としない、最少の空間で、かつ最少の部品点数で構成可能なテープ位置検出機構を備える磁気記録再生装置が得られる。【選択図】  図１
2004303339.tif 000002
【特許請求の範囲】
【請求項１】
磁気記録再生装置に用いるカセットと、前記カセットに巻装される磁気テープと、前記磁気テープの一方の端部である巻き始め部に設けられた第１の透明部と、前記磁気テープの他方の端部である巻き終り部に設けられた第２の透明部と、前記カセットが装着されるシャーシと、前記シャーシに設置された発光部と、前記発光部の光を受光し、前記テープの第１透明部を検出するべく設けられた第１の受光部と、他方の第２の透明部を検出するべく設けられた第２の受光部とを有する磁気記録再生装置において、前記第１と第２の受光部を前記シャーシの側面に直接保持することを特徴とする磁気記録再生装置。
【請求項２】
前記第１と第２の受光部を前記シャーシの側面に直接保持する手段として、前記第１と第２の受光部を前記シャーシの側面に設けた開口部に直接保持することを特徴とする請求項１記載の磁気記録再生装置。
【請求項３】
前記第１と第２の受光部を前記シャーシの側面に設けた開口部に直接保持する手段として、前記開口部に前記受光部の上部、下部をガイドする高さ規制部と、前記受光部の平面方向の位置と、発光部への方向をガイドする前記受光部の受光面側及びその背面側に設けた位置規制部を有する請求項２記載の磁気記録再生装置。
【請求項４】
前記第１と第２の受光部をシャーシの側面に設けた開口部に直接保持する手段として、前記受光部の端子に半田付けを行うＦＰＣを用いる事を特徴とする請求項３記載の磁気記録再生装置。
【発明の詳細な説明】
【０００１】
【発明の属する技術分野】
本発明は、磁気記録再生装置で用いられる磁気テープの最初の部分である始端部と最後の部分である終端部を検出するために装備された発光部と受光部から構成されるテープ位置検出機構に関するものである。
【０００２】
【従来の技術】
近年、磁気記録再生装置の中でも特にビデオムービーは小型化の方向にあり、テープの位置検出機構を構成する発光部と受光部もさらに小型化が必要となってきている。
【０００３】
以下に従来のテープ位置検出機構を構成する発光部と受光部の構成とその動作について説明する。
【０００４】
従来、磁気テープの位置を検出する発光部と受光部は  発光部に赤外発光ダイオード、受光部にフォトトランジスタを用いる構成が知られている。前記発光部と受光部の構成を図５、図６に示す。図５は従来の発光部と受光部の構成を示す平面図、図６は従来の発光部と受光部の構成を示す側面図である。図５において、１はカセット。２ａはカセット内の巻取り側リール。２ｂはカセット内の供給側リールである。３は前記両リールに巻取られている磁気テープであり、巻き始め部と巻き終わり部にそれぞれその位置を示す透明部（図示せず）を有している。４はシャーシであり、前記カセット１を保持している。５は前記シャーシ４に設けられた発光部であり、６は前記シャーシ４の側面に設けられた第１の受光部であり、前記発光部５の光を受光し、テープの最初の部分である始端位置を判別する。７は前記シャーシ４の側面に設けられた第２の受光部であり、前記発光部５の光を受光し、テープの最後の部分である終端位置を判別する。８ａは前記発光部５から発生する光の軌跡であり、前記第１の受光部６の方向に向かって発光する。８ｂも前記発光部５から発生する光の軌跡であり、前記第２の受光部７の方向に向かって発光する。図６において、３ａは前記巻取り側リール２ａから引出される磁気テープ、３ｂは前記供給側リール２ｂから引出される磁気テープである。５ａは発光部を構成する赤外発光ダイオードで、この素子が発光する。５ｂはプリズムであり、前記赤外発光ダイオード５ａの発した光を、前記第１の受光部６と前記第２の受光部７に向けて分光する。９は前記赤外発光ダイオード５ａ動作させる信号を供給する発光部ＦＰＣであり、その上面に前記赤外発光ダイオード５ａは  半田付けにより固定されている。５ｃは取付けベースであり、前記赤外発光ダイオード５ａと前記プリズム５ｂを前記シャーシ４の上に保持する。残りは図５と同じである。
【０００５】
以上のように構成された従来のテープ位置検出機構の動作について図５と図６を用いて説明する。
【０００６】
まず、終端を検出する動作について説明する。
【０００７】
正方向へ動作する時、磁気テープはＡ方向へ移動する。この時、巻取り側リール２ａ及び供給側リール２ｂは時計回転方向へ回転する。磁気テープは終端でない部分は透明でなく、磁気テープ３ｂの終端でない部分が光路８ｂを通過するとき発光部５の発する光は磁気テープ３ｂに遮られて、第２の受光部７へは届かない。磁気テープの最後を示す終端の透明部は供給側のリールの最後に巻込まれており、磁気テープ３ｂがさらにＡ方向への移動し、終端の透明部（図示せず）が、Ｅ点に位置にきた時、発光部５の発する光が光路８ｂを経て、受光部７へ、透過するようになり、磁気テープ３の終端部を検出することが出来るようになる。
【０００８】
次に、始端を検出する動作について説明する。
【０００９】
始端を検出する場合は磁気テープが逆方向へ動作する時で、磁気テープはＢ方向へ移動する。この時、巻取り側リール２ａ及び供給側リール２ｂは反時計回転方向へ回転する。同様に磁気テープは始端でない部分は透明でなく、磁気テープ３ａの終端でない部分が光路８ａを通過するとき発光部５の発する光は磁気テープ３ａに遮られて、第１の受光部６へは届かない。磁気テープの最初を示す始端の透明部は巻取り側のリールの最後に巻込まれており、磁気テープ３ａがさらにＢ方向への移動し、始端の透明部（図示せず）が、Ｓ点に位置にきた時、発光部５の発する光が光路８ａを経て、第１の受光部６へ、透過するようになり、磁気テープ３の始端部を検出することが出来るようになる。
【００１０】
続けて、受光部の詳細構成について図７を用いて説明する。
【００１１】
先ず、構成について説明する。図７は受光部の詳細形状であり、第１と第２の受光部には構成に差が無いので、始端を検出する第１の受光部を例に説明する。４はシャーシ、４ａは前記シャーシの側面に設けた抜き穴である。６ａはフォトトランジスタであり、この素子が前記赤外発光ダイオード５ａの発する光を受光する。６ｂは前記フォトトランジスタ６ａを保持固定するホルダである。６ｃはネジであり、前記シャーシ４の側面に設けた抜き穴４ａに前記フォトトランジスタ６ａと前記ホルダー６ｂを固定する。
【００１２】
次に、以上のように構成された受光部の大きさについて説明する。
【００１３】
Ｈ０は前記フォトトランジスタ６ａ自身の高さ方向の寸法を表し、Ｈ１はＨ０に前記ホルダー６ｂの寸法を加えた受光部全体の高さを表している。Ｈ２については受光部をシャーシ側面に配置するために必用な抜き穴４ａの高さ方向の寸法である。
【００１４】
同様にＬ０は前記フォトトランジスタ６ａ自身の長さ方向の寸法を示し、Ｌ１はＬ０に前記ホルダー６ｂの寸法を加えた受光部全体の長さを表している。Ｈ２については受光部をシャーシ４側面に配置するために必用な抜き穴４ａの長さ方向の寸法である。
【００１５】
厚み方向についてはＴ０は発光部方向に傾いたフォトトランジスタ６ａが必要とする寸法を表し、Ｔ１はＴ０に前記ホルダー６ｂの寸法と取付けを行う為に必用厚みを加えた受光部全体の厚さ方向の寸法を表しており、
Ｈ２＞Ｈ１＞Ｈ０
Ｌ２＞Ｌ１＞Ｌ０
Ｔ２＞Ｔ１＞Ｔ０
という関係を有していた。
【００１６】
【特許文献１】
特開平１１−２５９９３１号公報
【００１７】
【発明が解決しようとする課題】
しかしながら上記の従来の構成では、受光素子のフォトトランジスタを保持するために、板金あるいは樹脂の保持部材からなるホルダーが必用であるため、その保持部材自身の占有する場所や保持部材を固定するための空間が必要であり、ビデオムービーの小型化を阻害するという問題点を有していた。さらに受光素子の保持部材やそれを固定するビスなどが追加で必用となるため、部品点数の増加だけでなく加工工数も増加し、これによるコストアップが生ずるという問題点も有していた。
【００１８】
本発明は上記従来の問題点を解決するもので、シャーシ側面に設けた開口部に受光部を直接保持できる為、最少の空間で、かつ最少の部品点数で構成可能なテープ位置検出機構を提供することを目的とする。
【００１９】
【課題を解決するための手段】
この目的を達成するために本発明の磁気記録再生装置は、磁気記録再生装置に用いるカセットと、前記カセットに巻装される磁気テープと、前記磁気テープの一方の端部である巻き始め部に設けられた第１の透明部と、前記磁気テープの他方の端部である巻き終り部に設けられた第２の透明部と、前記カセットが装着されるシャーシと、前記シャーシに設置された発光部と、前記発光部の光を受光し、前記テープの第１透明部を検出するべく設けられた第１の受光部と、他方の第２の透明部を検出するべく設けられた第２の受光部とを有する磁気記録再生装置において、前記第１と第２の受光部を前記シャーシの側面に設けた開口部に直接保持することを特徴とする構成を有している。
【００２０】
この構成によって、シャーシ側面に設けた開口部に受光部を直接保持できる為、最少の空間で、かつ最少の部品点数で構成可能なテープ位置検出機構を提供することが可能となる。
【００２１】
【発明の実施の形態】
本発明の請求項１に記載の発明は、磁気記録再生装置に用いるカセットと、前記カセットに巻装される磁気テープと、前記磁気テープの一方の端部である巻き始め部に設けられた第１の透明部と、前記磁気テープの他方の端部である巻き終り部に設けられた第２の透明部と、前記カセットが装着されるシャーシと、前記シャーシに設置された発光部と、前記発光部の光を受光し、前記テープの第１透明部を検出するべく設けられた第１の受光部と、他方の第２の透明部を検出するべく設けられた第２の受光部とを有する磁気記録再生装置において、前記第１と第２の受光部を前記シャーシの側面に直接保持するという構成を備え、最少の空間、かつ最少の部品点数でシャーシ側面に設けた開口部に受光部を直接保持するという作用を有する。
【００２２】
請求項２に記載の発明は、前記第１と第２の受光部を前記シャーシの側面に設けた開口部に直接保持するという構成を備えた請求項１項記載の磁気記録再生装置としたものであり、最少の空間、かつ最少の部品点数でシャーシ側面に設けた開口部に受光部を直接保持するという作用を有する。
【００２３】
請求項３に記載の発明は、前記第１と第２の受光部を前記シャーシの側面に設けた開口部に直接保持する手段として、前記開口部に前記受光部の上部、下部をガイドする高さ規制部と、前記受光部の平面方向の位置と、発光部への方向をガイドする前記受光部の受光面側及びその背面側に設けた位置規制部を有するという請求項２項記載の磁気記録再生装置としたものであり、最少の空間、かつ最少の部品点数でシャーシ側面に設けた開口部に受光部を直接保持するという作用を有する。
【００２４】
請求項４に記載の発明は、前記第１と第２の受光部を前記シャーシの側面に設けた開口部に直接保持する手段として、前記受光素子の端子に半田付けを行うＦＰＣを用いる事を特徴とする請求項３記載の磁気記録再生装置としたものであり、前記受光素子の端子に半田付けを行うＦＰＣによって、前記受光部の高さ規制と、平面方向位置と、発光部方向への位置規制のすべてあるいはその一部行うという構成を備え、最少の空間、かつ最少の部品点数でテープ位置検出機構を実現するという作用を有する。
【００２５】
以下、本発明の実施の形態について、図１から図４を用いて説明する
（実施の形態１）
発光部と受光部の構成を図１、図２に示す。図１は本発明の実施の形態の発光部と受光部の構成を示す平面図、図２は本発明の実施の形態の発光部と受光部の構成を示す側面図である。
【００２６】
図１において、１はカセット。２ａはカセット内の巻取り側リール。２ｂはカセット内の供給側リールである。３は前記両リールに巻取られている磁気テープであり、巻き始め部と巻き終わり部にそれぞれその位置を示す透明部（図示せず）を有している。４はシャーシであり、その側面に開口部（図示せず）を有する。５は前記シャーシ４に設けられた発光部である。６は前記シャーシ４の側面の開口部に保持された第１の受光部であり、前記発光部５の光を受光し、テープの最初の部分である始端位置を判別する。７は前記シャーシ４の側面の開口部に保持された第２の受光部であり、前記発光部５の光を受光し、テープの最後の部分である終端位置を判別する。８ａは前記発光部５から発生する光の軌跡であり、前記第１の受光部６の方向に向かって発光する。８ｂも前記発光部５から発生する光の軌跡であり、前記第２の受光部７の方向に向かって発光する。３ａは前記巻取り側リール２ａから引出される磁気テープ、３ｂは前記供給側リール２ｂから引出される磁気テープである。Ｓ点は前記磁気テープ３ａと発光部５から発生する光の軌跡８ａとの交点、Ｅ点は前記磁気テープ３ｂと前記発光部５から発生する光の軌跡８ｂとの交点である。
【００２７】
図２において、５ａは発光部を構成する赤外発光ダイオードで、この素子が発光する。５ｂはプリズムであり、前記赤外発光ダイオード５ａの発した光を、前記第１の受光部６と前記第２の受光部７に向けて分光する。９は前記赤外発光ダイオード５ａ動作させる信号を供給する発光部ＦＰＣであり、その上面に前記赤外発光ダイオード５ａは  半田付けにより固定されている。５ｃは取付けベースであり、前記赤外発光ダイオード５ａと前記プリズム５ｂを前記シャーシ４の上に保持する。残りは図１と同じである。
【００２８】
以上のように構成された本発明実施の形態のテープ位置検出機構の動作について図１と図２を用いて説明する。
【００２９】
まず、終端を検出する動作について説明する。
【００３０】
正方向へ動作する時、磁気テープはＡ方向へ移動する。この時、巻取り側リール２ａ及び供給側リール２ｂは時計回転方向へ回転する。磁気テープは終端でない部分は透明でなく、磁気テープ３ｂの終端でない部分が光路８ｂを通過するとき発光部５の発する光は磁気テープ３ｂに遮られて、第２の受光部７へは届かない。磁気テープの最後を示す終端の透明部は供給側のリールの最後に巻込まれており、磁気テープ３ｂがさらにＡ方向への移動し、終端の透明部（図示せず）が、Ｅ点に位置にきた時、発光部５の発する光が光路８ｂを経て、受光部７へ、透過するようになり、磁気テープ３の終端部を検出することが出来るようになる。
【００３１】
次に、始端を検出する動作について説明する。
【００３２】
始端を検出する場合は磁気テープが逆方向へ動作する時で、磁気テープはＢ方向へ移動する。この時、巻取り側リール２ａ及び供給側リール２ｂは反時計回転方向へ回転する。同様に磁気テープは始端でない部分は透明でなく、磁気テープ３ａの終端でない部分が光路８ａを通過するとき発光部５の発する光は磁気テープ３ａに遮られて、第１の受光部６へは届かない。磁気テープの最初を示す始端の透明部は巻取り側のリールの最後に巻込まれており、磁気テープ３ａがさらにＢ方向への移動し、始端の透明部（図示せず）が、Ｓ点に位置にきた時、発光部５の発する光が光路８ａを経て、第１の受光部６へ、透過するようになり、磁気テープ３の始端部を検出することが出来るようになる。
【００３３】
続けて、受光部の詳細構成及びその効果について図３を用いて説明する。
【００３４】
先ず、構成について説明する。図３は受光部の詳細構成であり、第１と第２受光部には構成に差がないので、始端を検出する第１の受光部を例に説明する。４はシャーシ、４ａは前記シャーシの側面に設けた開口部である。開口部４ａには前記フォトトランジスタ外形の上部をガイドする規制部４ｂ、下部をガイドする規制部４ｃ、平面方向の位置を規制する４ｄ、発光部への方向を規制する４ｅと４ｆが設けられている。６ａは前記発光部５の発する光を受光するフォトトランジスタであり、開口部４ａに設けた各規制部により、シャーシ側面の開口部４ａに直接保持される。１０は受光部ＦＰＣであり、フォトトランジスタの端子に半田付けを行い電気信号の伝達に用いる。
【００３５】
次に、以上のように構成された受光部の大きさとその効果について説明する
Ｈ０は前記フォトトランジスタ６ａ自身の高さ方向の寸法を表し、シャーシの開口部４ａに設けた規制部４ｂ，４ｃが前記フォトトランジスタ６ａの上下方向を規制、保持するため、シャーシの抜き穴４ａそのものが素子と同じ大きさになり、シャーシの開口部４ａの高さ方向の寸法Ｈ２とフォトトランジスタ６ａの高さＨ０との間には
Ｈ２＝Ｈ０
の関係が成立し、高さ方向の大きさが最少になる。
【００３６】
前記フォトトランジスタ６ａ自身の長手方向の寸法Ｌ０についても同様である。シャーシの開口部４ａに設けた規制部４ｄが前記フォトトランジスタ６ａを規制、保持するため、シャーシの抜き穴４ａそのものが素子と同じ大きさになり、シャーシの開口部４ａの長さ方向の寸法Ｌ２とフォトトランジスタ６ａの高さＬ０との間には
Ｌ２＝Ｌ０
の関係が成立し、長さ方向の大きさも最少になる。
【００３７】
さらに厚み方向についても、シャーシの開口部４ａに設けた受光部の受光面側の規制部４ｅとその背面側に設けた規制部４ｆが直接前記フォトトランジスタ６ａを平面位置及び発光部への方向に規制、保持するため、シャーシの抜き穴４ａの厚みＴ２と、発光部方向に傾いたフォトトランジスタ６ａが必要とする厚みＴ０とを等しくすることが可能で、
Ｔ２＝Ｔ０
の関係が成立し、厚み方向の大きさも最少になる。
【００３８】
以上のように従来に対して小型化された最少の磁気テープ位置検出機構を実現することが可能になる。又、受光部にはフォトトランジスタだけがあれば良い為、最少の部品点数も実現できる。
【００３９】
なお、以上の説明では  シャーシの開口部４ａ形状を最少にするため、フォトトランジスタの外形形状と同形状としたが、同形状である必要はなく、規制部のみがフォトトランジスタを規制する形状であれば問題無い。
開口部は穴である必要はなく、シャーシの外形とつながった切りかきでも良い。又、本実施の形態では  フォトトランジスタの位置規制をすべてシャーシに設けた開口部によって行っているが、図４に示すように位置規制をフォトトランジスタの端子に半田付けを行うＦＰＣによって行っても良い。図４に示す構成部品はすべて図３と同じなので説明は省略する。
【００４０】
【発明の効果】
以上のように本実施の形態によればシャーシの側面に設けた開口部にフォトトランジスタ６ａを直接保持することにより、最少の空間で、かつ最少の部品点数で構成可能なテープ位置検出機構を提供することが可能という優れた効果が得られる。
【図面の簡単な説明】
【図１】本発明の実施の形態における磁気記録再生装置の平面図
【図２】本発明の実施の形態における磁気記録再生装置の側面図
【図３】本発明の実施の形態における受光部の構成詳細図
【図４】本発明の実施の形態における受光部の第２の実施の形態を示す側面及び平面図
【図５】従来の磁気記録再生装置の平面図
【図６】従来の磁気記録再生装置の側面図
【図７】従来の磁気記録再生装置の受光部の構成詳細を示す側面及び平面図
【符号の説明】
１  カセット
２ａ  巻取り側リール
２ｂ  供給側リール
３  磁気テープ
４  シャーシ
５  発光部
６  第１の受光部
７  第２の受光部
８  光路
９  発光部ＦＰＣ
１０  受光部ＦＰＣ
【図１】
2004303339.tif 000003
【図２】
2004303339.tif 000004
【図３】
2004303339.tif 000005
【図４】
2004303339.tif 000006
【図５】
2004303339.tif 000007
【図６】
2004303339.tif 000008
【図７】
2004303339.tif 000009